(57)【要約】  【課題】  記録媒体から読み出したデータを他の記録媒体へ記録する場合に、ネットワークを介して管理サイトに接続することなく、データのタイトル情報を取得し、タイトル情報をデータと共に記録することができるデータ記録システム、データ記録装置及びデータ供給体を提供する。  【解決手段】  ＣＤ１０１を収容するジャケット１０２に、ＣＤ１０１に記録されたデータに関するタイトル情報を符号化した二次元バーコード１０３を印刷しておき、二次元バーコード１０３をリモコン５０の撮像部５７にて読み取り、二次元バーコード１０３をデコーダ５５で復号してオーディオ装置１へ送信する。オーディオ装置１は受信したタイトル情報をＣＤ１０１から読み出したデータと関連付けてＭＤ１１０へ記録する。【選択図】      図１
2006318619.tif 000002
【特許請求の範囲】
【請求項１】
記録媒体又は該記録媒体に付属する付属品には、前記記録媒体に記録されたデータに関するタイトル情報を符号化した情報画像が付してあり、
前記記録媒体を装填する装填手段、該装填手段に装填された記録媒体からデータを読み出すデータ読出手段及び該データ読出手段が読み出したデータを記録するデータ記録手段を有するデータ記録装置と、該データ記録装置と無線通信可能な通信器とを備えるデータ記録システムであって、
前記通信器は、
情報画像を読み取る情報画像読取手段と、
該情報画像読取手段が読み取った情報画像を復号する復号手段と、
該復号手段が復号した情報を前記データ記録装置へ送信する送信手段とを有し、
前記データ記録装置は、
前記送信手段が送信した情報を受信する受信手段を有し、
前記データ記録手段は、前記受信手段が受信したタイトル情報を前記データ読出手段が読み出したデータと対応付けて記録するようにしてあること
を特徴とするデータ記録システム。
【請求項２】
記録媒体又は該記録媒体に付属する付属品には、前記記録媒体に記録されたデータに関するタイトル情報を符号化した情報画像が付してあり、
前記記録媒体を装填する装填手段、該装填手段に装填された記録媒体からデータを読み出すデータ読出手段及び該データ読出手段が読み出したデータを記録するデータ記録手段を有するデータ記録装置と、該データ記録装置と無線通信可能な通信器とを備えるデータ記録システムであって、
前記通信器は、
情報画像を読み取る情報画像読取手段と、
該情報画像読取手段が読み取った情報画像を前記データ記録装置へ送信する送信手段とを有し、
前記データ記録装置は、
前記送信手段が送信した情報画像を受信する受信手段と、
該受信手段が受信した情報画像を復号する復号手段とを有し、
前記データ記録手段は、前記復号手段が復号したタイトル情報を前記データ読出手段が読み出したデータと対応付けて記録するようにしてあること
を特徴とするデータ記録システム。
【請求項３】
前記記録媒体には、記録してあるデータの記録位置に関する管理情報が記録してあり、且つ、前記記録媒体又は前記付属品には、タイトル情報と共に前記管理情報を符号化した情報画像が付してあり、
前記データ記録装置は、
記録媒体に記録された管理情報を読み出す管理情報読出手段と、
前記復号手段が復号した管理情報及び前記管理情報読出手段が読み出した管理情報が一致するか否かを検出する検出手段とを有し、
前記データ記録手段は、前記検出手段が管理情報の一致を検出した場合に、タイトル情報を前記データ読出手段が読み出したデータと対応付けて記録するようにしてある請求項１又は請求項２に記載のデータ記録システム。
【請求項４】
前記記録媒体には、記録してあるデータの記録位置に関する管理情報が記録してあり、且つ、前記記録媒体又は前記付属品には、タイトル情報と共に前記管理情報を符号化した情報画像が付してあり、
前記データ記録装置は、記録媒体に記録された管理情報を読み出す管理情報読出手段を有し、
前記データ記録手段は、前記管理情報読出手段が読み出した管理情報を記録するようにしてあり、
更に、前記データ記録装置は、前記復号手段が復号した管理情報及び前記データ記録手段が記録した管理情報が一致するか否かを検出する検出手段を有し、
前記データ記録手段は、前記検出手段が管理情報の一致を検出した場合に、タイトル情報を前記データ読出手段が読み出したデータと対応付けて記録するようにしてある請求項１又は請求項２に記載のデータ記録システム。
【請求項５】
前記通信器は、前記データ記録装置を遠隔操作する遠隔操作器である請求項１乃至請求項４のいずれか１つに記載のデータ記録システム。
【請求項６】
前記通信器は、携帯電話器である請求項１乃至請求項４のいずれか１つに記載のデータ記録システム。
【請求項７】
記録媒体を装填する装填手段と、該装填手段に装填された記録媒体からデータを読み出すデータ読出手段と、該データ読出手段が読み出したデータを記録するデータ記録手段とを備えるデータ記録装置において、
記録媒体に記録されたデータに関するタイトル情報を他の機器から無線により受信する受信手段を備え、
前記データ記録手段は、前記受信手段が受信したタイトル情報を前記データ読出手段が読み出したデータと対応付けて記録するようにしてあること
を特徴とするデータ記録装置。
【請求項８】
記録媒体を装填する装填手段と、該装填手段に装填された記録媒体からデータを読み出すデータ読出手段と、該データ読出手段が読み出したデータを記録するデータ記録手段とを備えるデータ記録装置において、
記録媒体に記録されたデータに関するタイトル情報を符号化した情報画像を他の機器から無線により受信する受信手段と、
該受信手段が受信した情報画像を復号する復号手段とを備え、
前記データ記録手段は、前記復号手段が復号したタイトル情報を前記データ読出手段が読み出したデータと対応付けて記録するようにしてあること
を特徴とするデータ記録装置。
【請求項９】
記録媒体又は該記録媒体に付属する付属品には、前記記録媒体に記録されたデータに関するタイトル情報を符号化した情報画像が付してあり、
前記記録媒体を装填する装填手段と、該装填手段に装填された記録媒体からデータを読み出すデータ読出手段と、該データ読出手段が読み出したデータを記録するデータ記録手段とを備えるデータ記録装置であって、
情報画像を読み取る情報画像読取手段と、
該情報画像読取手段が読み取った情報画像を復号する復号手段とを備え、
前記データ記録手段は、前記復号手段が復号したタイトル情報を前記データ読出手段が読み出したデータと対応付けて記録するようにしてあること
を特徴とするデータ記録装置。
【請求項１０】
データが記録された記録媒体と、該記録媒体に付属する付属品とを備えるデータ供給体であって、
前記記録媒体又は前記付属品に、前記記録媒体に記録されたデータに関するタイトル情報を符号化した情報画像が付してあること
を特徴とするデータ供給体。
【請求項１１】
前記付属品は、前記記録媒体を収容する収容体又は前記記録媒体に付属する冊子である請求項１０に記載のデータ供給体。
【発明の詳細な説明】
【技術分野】
【０００１】
本発明は、一の記録媒体に記録されたデータを読み出して他の記録媒体へ記録することができ、データの記録を行う際にデータと共にタイトル情報を記録することができるデータ記録システムに関し、また、データ記録システムを構成するデータ記録装置及び記録媒体を有してデータの供給を行うデータ供給体に関する。
【背景技術】
【０００２】
従来より、ＣＤ（コンパクトディスク）及びＭＤ（ミニディスク）の両記録媒体が装填可能であり、ＣＤに収録されている楽曲データをＭＤへ録音することができるオーディオシステムが実用化されている。使用者は、複数のＣＤから好みの楽曲データを選択的にＭＤへ録音することができ、不必要となった楽曲データを削除して新たな楽曲データを録音することができる。また、近年では、ハードディスクを備えて、多くの楽曲データをＣＤから録音することが可能なオーディオシステムが実用化されている。
【０００３】
ＭＤには、ディスクのタイトル及び収録されている楽曲データ毎のタイトル等の情報を記録するために、Ｕ−ＴＯＣ（Ｕｓｅｒ’ｓ  Ｔａｂｌｅ  Ｏｆ  Ｃｏｎｔｅｎｔｓ）と呼ばれる領域が設けられている。オーディオシステムは、ＭＤの楽曲データを再生する場合に、Ｕ−ＴＯＣに記録されたタイトル情報を読み出して、液晶パネルに表示し、使用者に再生中の楽曲データに関する情報を提供することができる。
【０００４】
しかし、従来のオーディオシステムにおいては、Ｕ−ＴＯＣに記録するタイトル情報は、使用者がオーディオシステムに設けてある操作部を操作して、一文字毎に入力する必要があった。オーディオシステムの操作部はコンピュータのキーボードのような高度な入力装置を備えるものではなく、使用者は数個のキーのみでタイトル情報の入力を行わなければならず、操作が非常に煩雑であった。
【０００５】
特許文献１においては、録音再生装置が再生対象のＣＤを識別するＴＯＣ（Ｔａｂｌｅ  Ｏｆ  Ｃｏｎｔｅｎｔｓ）情報をパソコン（パーソナルコンピュータ）へ送信し、パソコンがネットワークを介してＣＤに関する情報を管理する管理サイトに通信接続して、ＴＯＣ情報に対応するタイトル情報を管理サイトから受信し、その後、パソコンはＣＤからＭＤへの録音が終了した場合に、管理サイトから受信したタイトル情報を録音再生装置へ送信し、録音再生装置がＭＤへタイトル情報を記録することで、タイトル情報を簡単にＭＤへ記録することができるオーディオシステムが提案されている。
【特許文献１】特開２００２−１３２２６９号公報
【発明の開示】
【発明が解決しようとする課題】
【０００６】
しかしながら、特許文献１に記載のオーディオシステムにおいては、ネットワークを介して管理サイトに通信接続し、管理サイトからＴＯＣ情報に対応するタイトル情報を得る構成であるため、ネットワークに接続できる環境が必要であり、ネットワークに接続できる環境が整っていない場合にはタイトル情報を得ることができないという問題がある。また、録音再生装置をパソコンに接続し、パソコンを介してネットワークに接続する構成であるため、使用者にある程度のパソコンを使用するための知識が必要であり、簡単に使用できないという問題がある。
【０００７】
本発明は、斯かる事情に鑑みてなされたものであって、その目的とするところは、記録媒体又は記録媒体に付属する付属品にタイトル情報を符号化した情報画像を付しておき、データ記録装置と無線通信可能な通信器が情報画像を読み取って復号し、データ記録装置へタイトル情報を送信する構成とすることにより、データ記録装置がネットワークに接続することなくタイトル情報を簡単に得ることができるデータ記録システムを提供することにある。
【０００８】
また本発明の他の目的とするところは、記録媒体又は記録媒体に付属する付属品にタイトル情報を符号化した情報画像を付しておき、データ記録装置と無線通信可能な通信器が情報画像を読み取ってデータ記録装置へ送信し、データ記録装置が情報画像を復号してタイトル情報を得る構成とすることにより、データ記録装置がネットワークに接続することなくタイトル情報を簡単に得ることができるデータ記録システムを提供することにある。
【０００９】
また本発明の他の目的とするところは、データの記録位置に関する管理情報、所謂ＴＯＣ情報を記録媒体に記録しておき、また、ＴＯＣ情報をタイトル情報と共に符号化して情報画像として付しておき、記録媒体から読み出したＴＯＣ情報と情報画像を復号して得られたＴＯＣ情報とを比較して一致した場合に、情報画像を復号して得られたタイトル情報を記録する構成とすることにより、データとタイトル情報とを正しく関連付けて記録することができるデータ記録システムを提供することにある。
【００１０】
また本発明の他の目的とするところは、記録媒体から読み出したＴＯＣ情報を予め記録しておき、情報画像を復号して得られたＴＯＣ情報と予め記録しておいたＴＯＣ情報とを比較して一致した場合に、情報画像を復号して得られたタイトル情報を記録する構成とすることにより、タイトル情報の記録を行う場合に記録媒体からＴＯＣ情報を読み出す必要がないため、簡単にデータとタイトル情報とを関連付けて記録することができるデータ記録システムを提供することにある。
【００１１】
また本発明の他の目的とするところは、データ記録装置の遠隔操作器にて情報画像を読み取る構成とすることにより、使用者が簡単に使用できるデータ記録システムを提供することにある。
【００１２】
また本発明の他の目的とするところは、携帯電話器にて情報画像の読み取りを行い、データ記録装置に送信する構成とすることにより、使用者が所有する携帯電話器を利用でき、簡単に使用できるデータ記録システムを提供することにある。
【００１３】
また本発明の他の目的とするところは、記録媒体に記録されたデータに関するタイトル情報を他の機器から受信し、受信したタイトル情報を記録することにより、ネットワークに接続することなくタイトル情報の記録を行うことができるデータ記録装置を提供することにある。
【００１４】
また本発明の他の目的とするところは、記録媒体に記録されたデータに関するタイトル情報を符号化した情報画像を他の機器から受信し、情報画像を復号し、復号したタイトル情報を記録することにより、ネットワークに接続することなくタイトル情報の記録を行うことができるデータ記録装置を提供することにある。
【００１５】
また本発明の他の目的とするところは、記録媒体に記録されたデータに関するタイトル情報を符号化した情報画像を読み取って復号し、復号したタイトル情報を記録することにより、ネットワークに接続することなく、且つ、他の機器を介して情報画像の読み取りを行わずにタイトル情報の記録を行うことができるデータ記録装置を提供することにある。
【００１６】
また本発明の他の目的とするところは、データが記録された記録媒体又は記録媒体に付属する付属品に、記録媒体に記録されたデータに関するタイトル情報を符号化した情報画像を付しておくことにより、情報画像を読み取ることが可能な機器に、タイトル情報を簡単に与えることができるデータ供給体を提供することにある。
【００１７】
また本発明の他の目的とするところは、記録媒体を収容する収容体又は記録媒体に付属する冊子に情報画像を付しておくことにより、情報画像の読み取りを簡単に行うことができるデータ供給体を提供することにある。
【課題を解決するための手段】
【００１８】
本発明に係るデータ記録システムは、記録媒体又は該記録媒体に付属する付属品には、前記記録媒体に記録されたデータに関するタイトル情報を符号化した情報画像が付してあり、前記記録媒体を装填する装填手段、該装填手段に装填された記録媒体からデータを読み出すデータ読出手段及び該データ読出手段が読み出したデータを記録するデータ記録手段を有するデータ記録装置と、該データ記録装置と無線通信可能な通信器とを備えるデータ記録システムであって、前記通信器は、情報画像を読み取る情報画像読取手段と、該情報画像読取手段が読み取った情報画像を復号する復号手段と、該復号手段が復号した情報を前記データ記録装置へ送信する送信手段とを有し、前記データ記録装置は、前記送信手段が送信した情報を受信する受信手段を有し、前記データ記録手段は、前記受信手段が受信したタイトル情報を前記データ読出手段が読み出したデータと対応付けて記録するようにしてあることを特徴とする。
【００１９】
本発明においては、記録媒体又は記録媒体に付属する付属品にタイトル情報を符号化した情報画像を付しておき、付された情報画像を通信器にて読み取り、読み取った情報画像を復号してデータ記録装置へ送信する。データ記録装置は受信したタイトル情報と記録媒体から読み出したデータとを関連付けて記録する。データ記録装置はネットワークを介して管理サイトに接続し、タイトル情報を取得する必要がない。
【００２０】
また、本発明に係るデータ記録システムは、記録媒体又は該記録媒体に付属する付属品には、前記記録媒体に記録されたデータに関するタイトル情報を符号化した情報画像が付してあり、前記記録媒体を装填する装填手段、該装填手段に装填された記録媒体からデータを読み出すデータ読出手段及び該データ読出手段が読み出したデータを記録するデータ記録手段を有するデータ記録装置と、該データ記録装置と無線通信可能な通信器とを備えるデータ記録システムであって、前記通信器は、情報画像を読み取る情報画像読取手段と、該情報画像読取手段が読み取った情報画像を前記データ記録装置へ送信する送信手段とを有し、前記データ記録装置は、前記送信手段が送信した情報画像を受信する受信手段と、該受信手段が受信した情報画像を復号する復号手段とを有し、前記データ記録手段は、前記復号手段が復号したタイトル情報を前記データ読出手段が読み出したデータと対応付けて記録するようにしてあることを特徴とする。
【００２１】
本発明においては、記録媒体又は記録媒体に付属する付属品に付された情報画像を通信器にて読み取り、読み取った情報画像をデータ記録装置へ送信する。データ記録装置は受信した情報画像を復号してタイトル情報を取得し、記録媒体から読み出したデータとタイトル情報とを関連付けて記録する。データ記録装置はネットワークを介して管理サイトに接続し、タイトル情報を取得する必要がない。
【００２２】
また、本発明に係るデータ記録システムは、前記記録媒体には、記録してあるデータの記録位置に関する管理情報が記録してあり、且つ、前記記録媒体又は前記付属品には、タイトル情報と共に前記管理情報を符号化した情報画像が付してあり、前記データ記録装置は、記録媒体に記録された管理情報を読み出す管理情報読出手段と、前記復号手段が復号した管理情報及び前記管理情報読出手段が読み出した管理情報が一致するか否かを検出する検出手段とを有し、前記データ記録手段は、前記検出手段が管理情報の一致を検出した場合に、タイトル情報を前記データ読出手段が読み出したデータと対応付けて記録するようにしてあることを特徴とする。
【００２３】
本発明においては、記録媒体に記録されたＴＯＣ情報を、タイトル情報と共に符号化して情報画像として記録媒体又は記録媒体の付属品に付しておく。データ記録装置は、情報画像を復号して得られるＴＯＣ情報と記録媒体から読み出したＴＯＣ情報とを比較し、両ＴＯＣ情報が一致した場合にタイトル情報の記録を行う。これにより、データとタイトル情報とを正しく関連付けて記録できる。
【００２４】
また、本発明に係るデータ記録システムは、前記記録媒体には、記録してあるデータの記録位置に関する管理情報が記録してあり、且つ、前記記録媒体又は前記付属品には、タイトル情報と共に前記管理情報を符号化した情報画像が付してあり、前記データ記録装置は、記録媒体に記録された管理情報を読み出す管理情報読出手段を有し、前記データ記録手段は、前記管理情報読出手段が読み出した管理情報を記録するようにしてあり、更に、前記データ記録装置は、前記復号手段が復号した管理情報及び前記データ記録手段が記録した管理情報が一致するか否かを検出する検出手段を有し、前記データ記録手段は、前記検出手段が管理情報の一致を検出した場合に、タイトル情報を前記データ読出手段が読み出したデータと対応付けて記録するようにしてあることを特徴とする。
【００２５】
本発明においては、記録媒体に記録されたＴＯＣ情報を、タイトル情報と共に符号化して情報画像として記録媒体又は記録媒体の付属品に付しておく。データ記録装置は記録媒体からＴＯＣ情報を読み出した予め記録しておき、情報画像を復号して得られるＴＯＣ情報と予め記録しておいたＴＯＣ情報とを比較し、両ＴＯＣ情報が一致した場合にタイトル情報の記録を行う。これにより、タイトル情報の記録を行う場合に、記録媒体からＴＯＣ情報を読み出す必要がない。
【００２６】
また、本発明に係るデータ記録システムは、前記通信器が、前記データ記録装置を遠隔操作する遠隔操作器であることを特徴とする。
【００２７】
本発明においては、データ記録装置を操作する遠隔操作器に情報画像を読み取る機能を設ける。これにより、使用者が簡単に情報画像を読み込んで、データと共にタイトル情報を記録することができる。
【００２８】
また、本発明に係るデータ記録システムは、前記通信器が、携帯電話器であることを特徴とする。
【００２９】
本発明においては、携帯電話器に情報画像を読み取る機能及びデータ記録装置へ読み取ったデータを送信する機能を設ける。これにより、使用者が所有する携帯電話器を利用できるため、簡単に使用できる。
【００３０】
また、本発明に係るデータ記録装置は、記録媒体を装填する装填手段と、該装填手段に装填された記録媒体からデータを読み出すデータ読出手段と、該データ読出手段が読み出したデータを記録するデータ記録手段とを備えるデータ記録装置において、記録媒体に記録されたデータに関するタイトル情報を他の機器から無線により受信する受信手段を備え、前記データ記録手段は、前記受信手段が受信したタイトル情報を前記データ読出手段が読み出したデータと対応付けて記録するようにしてあることを特徴とする。
【００３１】
本発明においては、記録媒体に記録されたデータに関するタイトル情報を他の機器から受信し、受信したタイトル情報を記録する。これにより、ネットワークに接続せずにタイトル情報の記録を行うことができる。
【００３２】
また、本発明に係るデータ記録装置は、記録媒体を装填する装填手段と、該装填手段に装填された記録媒体からデータを読み出すデータ読出手段と、該データ読出手段が読み出したデータを記録するデータ記録手段とを備えるデータ記録装置において、記録媒体に記録されたデータに関するタイトル情報を符号化した情報画像を他の機器から無線により受信する受信手段と、該受信手段が受信した情報画像を復号する復号手段とを備え、前記データ記録手段は、前記復号手段が復号したタイトル情報を前記データ読出手段が読み出したデータと対応付けて記録するようにしてあることを特徴とする。
【００３３】
本発明においては、記録媒体に記録されたデータに関するタイトル情報を符号化した情報画像を他の機器から受信し、情報画像を復号し、復号したタイトル情報を記録する。これにより、ネットワークに接続せずにタイトル情報の記録を行うことができる。
【００３４】
また、本発明に係るデータ記録装置は、記録媒体又は該記録媒体に付属する付属品には、前記記録媒体に記録されたデータに関するタイトル情報を符号化した情報画像が付してあり、前記記録媒体を装填する装填手段と、該装填手段に装填された記録媒体からデータを読み出すデータ読出手段と、該データ読出手段が読み出したデータを記録するデータ記録手段とを備えるデータ記録装置であって、情報画像を読み取る情報画像読取手段と、該情報画像読取手段が読み取った情報画像を復号する復号手段とを備え、前記データ記録手段は、前記復号手段が復号したタイトル情報を前記データ読出手段が読み出したデータと対応付けて記録するようにしてあることを特徴とする。
【００３５】
本発明においては、記録媒体に記録されたデータに関するタイトル情報を符号化した情報画像を読み取り、情報画像を復号し、復号したタイトル情報を記録する。これにより、他の機器を介して情報画像の読み取りを行わずにタイトル情報の記録を行うことができる。
【００３６】
また、本発明に係るデータ供給体は、データが記録された記録媒体と、該記録媒体に付属する付属品とを備えるデータ供給体であって、前記記録媒体又は前記付属品に、前記記録媒体に記録されたデータに関するタイトル情報を符号化した情報画像が付してあることを特徴とする。
【００３７】
本発明においては、データが記録された記録媒体又は記録媒体に付属する付属品に、記録媒体に記録されたデータに関するタイトル情報を符号化した情報画像を付し、記録媒体から読み出したデータの記録を行う場合に、情報画像を読み取ってタイトル情報をデータと共に記録できるようにする。
【００３８】
また、本発明に係るデータ供給体は、前記付属品が、前記記録媒体を収容する収容体又は前記記録媒体に付属する冊子であることを特徴とする。
【００３９】
本発明においては、記録媒体を収容する収容体又は記録媒体に付属する冊子に情報画像を付しておき、データ記録装置又は通信機にて情報画像の読み取りを行う場合に、読み取りを行いやすくする。
【発明の効果】
【００４０】
本発明による場合は、記録媒体又は記録媒体に付属する付属品にタイトル情報を符号化した情報画像を付しておき、データ記録装置と無線通信可能な通信器が情報画像を読み取って復号し、データ記録装置へタイトル情報を送信する構成とすることにより、データ記録装置がタイトル情報を簡単に得ることができるため、ネットワークに接続するための環境が整っていない場合であってもタイトル情報を取得して記録することができ、簡単に使用することができる。
【００４１】
また、本発明による場合は、記録媒体又は記録媒体に付属する付属品にタイトル情報を符号化した情報画像を付しておき、データ記録装置と無線通信可能な通信器が情報画像を読み取ってデータ記録装置へ送信し、データ記録装置が情報画像を復号してタイトル情報を得る構成とすることにより、データ記録装置がタイトル情報を簡単に得ることができるため、ネットワークに接続するための環境が整っていない場合であってもタイトル情報を取得して記録することができ、簡単に使用することができる。
【００４２】
また、本発明による場合は、記録媒体に記録されたＴＯＣ情報を、タイトル情報と共に符号化して情報画像として記録媒体又は付属品に付しておき、記録媒体から読み出したＴＯＣ情報と情報画像を復号して得られたＴＯＣ情報とを比較して一致した場合に、情報画像を復号して得られたタイトル情報を記録する構成とすることにより、データとタイトル情報とを正しく関連付けて記録することができるため、誤ったタイトル情報を記録する虞がない。
【００４３】
また、本発明による場合は、記録媒体から読み出したＴＯＣ情報を予め記録しておき、情報画像を復号して得られたＴＯＣ情報と予め記録しておいたＴＯＣ情報とを比較して一致した場合に、情報画像を復号して得られたタイトル情報を記録する構成とすることにより、データとタイトル情報とを正しく関連付けて記録することができるため、誤ったタイトル情報を記録する虞がない。また、タイトル情報の記録を行う場合に記録媒体からＴＯＣ情報を読み出す必要がないため、データの記録とタイトル情報の記録とを別に行うことができる。
【００４４】
また、本発明による場合は、データ記録装置の遠隔操作器にて情報画像を読み取る構成とすることにより、使用しやすく、簡単に情報画像の読み取りを行うことができる。
【００４５】
また、本発明による場合は、携帯電話器にて情報画像の読み取りを行い、データ記録装置に送信する構成とすることにより、使用者が所有する携帯電話器を利用できるため、使用しやすく、簡単に情報画像の読み取りを行うことができる。
【００４６】
また、本発明による場合は、記録媒体に記録されたデータに関するタイトル情報を他の機器から受信し、受信したタイトル情報を記録することにより、タイトル情報を簡単に得ることができるため、ネットワークに接続するための環境が整っていない場合であってもタイトル情報を取得して記録することができ、簡単に使用することができる。
【００４７】
また、本発明による場合は、記録媒体に記録されたデータに関するタイトル情報を符号化した情報画像を他の機器から受信し、情報画像を復号し、復号したタイトル情報を記録することにより、タイトル情報を簡単に得ることができるため、ネットワークに接続するための環境が整っていない場合であってもタイトル情報を取得して記録することができ、簡単に使用することができる。
【００４８】
また、本発明による場合は、記録媒体に記録されたデータに関するタイトル情報を符号化した情報画像を読み取って復号し、復号したタイトル情報を記録することにより、ネットワークに接続することなくタイトル情報を得ることができ、且つ、他の機器を介して情報画像の読み取りを行わずにタイトル情報を得ることができるため、簡単に使用することができる。
【００４９】
また、本発明による場合は、データが記録された記録媒体又は記録媒体に付属する付属品に、記録媒体に記録されたデータに関するタイトル情報を符号化した情報画像を付しておくことにより、記録媒体から読み出したデータの記録を行う場合に、情報画像を読み取ってタイトル情報を得ることができるため、簡単にタイトル情報をデータと共に記録することができる。
【００５０】
また、本発明による場合は、記録媒体を収容する収容体又は記録媒体に付属する冊子に情報画像を付しておくことにより、記録媒体をデータ記録装置に装填した状態であっても情報画像の読み取りを行うことができるため、情報画像の読み取りが行いやすい。
【発明を実施するための最良の形態】
【００５１】
以下、本発明をその実施の形態を示す図面に基づき具体的に説明する。なお、本実施の形態においては、記録媒体としてＣＤ及びＭＤが装填可能なオーディオ装置を含むオーディオシステムを例に説明を行う。
（実施の形態１）
図１は、本発明の実施の形態１に係るオーディオシステムの構成を示すブロック図である。図において１はオーディオ装置であり、オーディオ装置１はデータ供給体１００のＣＤ１０１を装填するＣＤドライブ２０及びＭＤ１１０を装填するＭＤドライブ２を備え、ＣＤ１０１に記録された楽曲データをＭＤ１１０へ記録することができる。また、本実施の形態に係るオーディオシステムは、オーディオ装置１を遠隔操作するためのリモコン（リモートコントローラ）５０を備えている。
【００５２】
ＭＤ１１０を装填するＭＤドライブ２は、磁気ヘッド３、光ピックアップ４及びモータ５を備えており、ＭＤ１１０はモータ５により所定の速度で回転駆動される。ＭＤ１１０からのデータの読み出しを行う場合は、光ピックアップ４が所定の波長のレーザ光をＭＤ１１０へ照射し、その反射光を受けて電気信号に変換する。ＭＤ１１０へのデータの書き込みを行う場合は、光ピックアップ４がレーザ光をＭＤ１１０へ照射して温度をキュリー温度以上に上昇させ、磁気ヘッド３が温度の上昇した領域に磁界を印加して行う。
【００５３】
光ピックアップ４及びモータ５はサーボ制御部８によって制御されており、また、光ピックアップ４からの電気信号はＲＦアンプ７へ与えられる。ＲＦアンプ７は与えられた電気信号を増幅し、増幅された信号のうち、フォーカスエラー信号及びトラッキングエラー信号をサーボ制御部８へ与え、データ信号をＣＯＤＥＣ部９へ与える。サーボ制御部８は、ＲＦアンプ７からフィードバックされるフォーカスエラー信号及びトラッキングエラー信号をもとに、光ピックアップ４及びモータ５の制御を行うようにしてある。また、磁気ヘッド３は、ヘッド駆動部６により駆動されており、ヘッド駆動部６はＣＯＤＥＣ部９から与えられる書き込みデータに応じて、ＭＤ１１０に印加する磁界を発生させるようにしてある。
【００５４】
ＣＯＤＥＣ部９は、ＲＦアンプ７から与えられたデータをデコードして圧縮伸張部１１へ与える、又は圧縮伸張部１１から与えられたデータをエンコードしてヘッド駆動部６へ与える。圧縮伸張部１１は、ＣＯＤＥＣ部９からデータが与えられた場合には、与えられたデータは圧縮されたデータであるので、データの伸張を行い、伸張したデータをＤ／Ａ変換部１０へ与える。Ｄ／Ａ変換部１０は与えられたディジタルのデータをアナログの電気信号に変換して音声出力部１７へ与え、音声出力部１７に備えられた図示しないスピーカから音声を出力する。また、圧縮伸張部１１は、ＣＤ１０１から読み出したデータがデコーダ１２から与えられた場合には、データの圧縮を行い、圧縮したデータをＣＯＤＥＣ部９へ与え、ＭＤ１１０への記録を行うようにしてある。
【００５５】
ＣＤ１０１を装填するＣＤドライブ２０は、光ピックアップ２１及びモータ２２を備えており、ＣＤ１０１はモータ２２により所定の速度で回転駆動される。光ピックアップ２１は所定の波長のレーザ光をＣＤ１０１へ照射し、その反射光を受けて電気信号に変換し、データの読み出しを行う。光ピックアップ２１及びモータ２２はサーボ制御部１９によって制御されており、光ピックアップ２１からの電気信号はＲＦアンプ１８へ与えられる。ＲＦアンプ１８は与えられた電気信号を増幅し、増幅された信号のうち、フォーカスエラー信号及びトラッキングエラー信号をサーボ制御部１９へ与え、データ信号をデコーダ１２へ与える。サーボ制御部１９は、ＲＦアンプ１８からフィードバックされるフォーカスエラー信号及びトラッキングエラー信号を基に、光ピックアップ２１及びモータ２２の制御を行うようにしてある。
【００５６】
音声データの再生を行う場合には、デコーダ１２はＲＦアンプ１８から与えられたデータをデコードしてＤ／Ａ変換部１０へ与え、Ｄ／Ａ変換部１０がディジタルのデータをアナログの電気信号に変換して音声出力部１７へ与え、音声出力部１７から音声を出力する。ＣＤ１０１から読み出した音声データをＭＤ１１０へ記録する場合には、デコーダ１２はＲＦアンプ１８から与えられたデータをデコードして圧縮伸張部１１へ与え、圧縮伸張部１１がデータの圧縮を行って、上述の通りにＭＤドライブ２にて圧縮したデータの書き込みを行うようにしてある。
【００５７】
オーディオ装置１に備えられたシステムコントローラ１３は、ＭＤドライブ２用のサーボ制御部８、ＣＯＤＥＣ部９、デコーダ１２及びＣＤドライブ１用のサーボ制御部１９等を制御して、ＣＤ１０１及びＭＤ１１０に記録されたデータの再生処理及びＭＤ１１０へのデータの記録処理等を行う。システムコントローラ１３は、使用者がオーディオ装置１の操作を行うための操作部１４から動作命令が与えられ、与えられた動作命令に従って処理を行うようにしてある。操作部１４には、再生、録音、選曲、早送り及び巻き戻し等のオーディオ装置１を操作するための複数のボタンが設けられている。また、オーディオ装置１は赤外線受光部１５を備えており、赤外線受光部１５はリモコン５０から赤外線により送信されたデータを受信してシステムコントローラ１３へ与えるようにしてある。
【００５８】
また、システムコントローラ１３は、図示しない液晶ディスプレイを備える表示部１６に表示命令を与えて、オーディオ装置１の動作状況及び楽曲データの後述のタイトル情報等を表示することができる。また、オーディオ装置１はＤＲＡＭ又はフラッシュメモリ等によるメモリ２３を備えており、メモリ２３にタイトル情報を一時的に記憶することができるようにしてある。
【００５９】
オーディオ装置１を遠隔操作するためのリモコン５０は、使用者が操作を行うための複数のボタン又はスイッチを有する操作部５１及びオーディオ装置１の赤外線受光部１５へ赤外線によりデータの送信を行う赤外線発光部５２を備え、更に図示しないレンズ及び撮像素子等を有する撮像部５７を備えており、制御部５３によって各部の制御を行っている。
【００６０】
操作部５１には、再生、録音、選曲、早送り及び巻き戻し等のオーディオ装置１を操作するためのボタンが設けられており、これらのボタンが操作された場合には、対応する動作命令が制御部５３から赤外線発光部５２へ与えられ、赤外線発光部５２からオーディオ装置１へ動作命令を赤外線により送信する。また、操作部５１には、撮像部５７により二次元バーコードの読み取りを行うためのボタン、例えばリモコン５０を二次元バーコードの読取可能状態へ移行させる読取要求ボタン、撮像部５７により二次元バーコードを撮像する撮像ボタン及び読み取った二次元バーコードのデータをオーディオ装置１へ送信する送信ボタン等が設けられている。
【００６１】
撮像部５７が撮像したアナログの映像信号は画像処理部５６へ与えられ、画像処理部５６にてディジタルの画像データに変換される。変換された画像データは、画像処理部５６からデコーダ５５へ与えられ、デコーダ５５により二次元バーコードのデコードを行う。デコーダ５５にてデコードされたデータは、制御部５３から赤外線発光部５２へ与えられ、赤外線発光部５２から赤外線によってオーディオ装置１へ送信される。また、リモコン５０には液晶ディスプレイを有する表示部５４が設けてあり、画像処理部５６から与えられる画像データを表示できるようにしてある。
【００６２】
図２は、本発明に係るデータ供給体１００の構成を示す模式図である。ＣＤ１０１には、ＴＯＣ情報が記録されたＴＯＣ領域１００ａ及び楽曲データが記録された楽曲領域１００ｂが設けてある。ＴＯＣ領域１００ａに記録されたＴＯＣ情報は、楽曲領域１００ｂに記録された楽曲データのトータルトラック数、各トラックの演奏時間及びトータル演奏時間等の情報が含まれており、ＣＤ１０１を識別するために用いることができる。
【００６３】
また、ＣＤ１０１はジャケット１０２に収容された状態で販売されるものであり、ジャケット１０２には二次元バーコード１０３が印刷してある。二次元バーコード１０３は、ＣＤ１０１のＴＯＣ領域１００ａに記録されたＴＯＣ情報と同じ内容のＴＯＣ情報１０３ａと、楽曲領域１００ｂに記録された楽曲データに対応するタイトル情報１０３ｂとを画像情報に変換したものである。
【００６４】
図３は、ＭＤ１１０の構成を示す模式図である。ＭＤ１１０の特定領域にはＴＯＣ情報が記録されたＴＯＣ領域１１０ａが設けてあり、ＴＯＣ情報にはＭＤの製造元及びＭＤに記録可能なデータ容量等の情報が含まれ、書き換え不可能にしてある。また、使用者が書き換え可能な領域には、演奏時間及びタイトル情報等を含むＵ−ＴＯＣ情報を記録するＵ−ＴＯＣ領域１１０ｂと、楽曲データを記録する楽曲領域１１０ｃとが設けてある。
【００６５】
本発明に係るオーディオシステムにおいては、ＣＤ１０１から読み出した楽曲データをＭＤ１１０へ記録することが可能であり、更に、ＣＤ１０１のジャケット１０２に印刷された二次元バーコード１０３に含まれるタイトル情報１０３ｂをＭＤ１１０のＵ−ＴＯＣ領域１１０ｂに記録することができる。
【００６６】
図４は、本発明の実施の形態１に係るリモコン５０が二次元バーコード１０３の読み取りを行う場合にリモコン５０の制御部５３が行う処理を示すフローチャートである。制御部５３は、使用者が操作部５１を操作することにより二次元バーコード１０３の読み取りを要求したか否かを調べ（ステップＳ１）、読取要求がない場合には（Ｓ１：ＮＯ）、読取要求が与えられるまで待機する。使用者からの読取要求がある場合には（Ｓ１：ＹＥＳ）、撮像部５７を起動し（ステップＳ２）、リモコン５０を二次元バーコード１０３の撮像が可能な状態へ移行させる。
【００６７】
次いで、使用者により操作部５１の撮像ボタンが押下されたか否かを調べ（ステップＳ３）、操作部５１の撮像ボタンが押下されていない場合には（Ｓ３：ＮＯ）、操作部５１の撮像ボタンが押下されるまで待機し、操作部５１の撮像ボタンが押下された場合には（Ｓ３：ＹＥＳ）、撮像部５７により撮像された二次元バーコード１０３の画像を取り込み（ステップＳ４）、取り込んだ二次元バーコード１０３の画像をデコーダ５５に与えてデコードを行う（ステップＳ５）。
【００６８】
次いで、使用者により操作部５１の送信ボタンが押下されたか否かを調べ（ステップＳ６）、操作部５１の送信ボタンが押下されていない場合には（Ｓ６：ＮＯ）、操作部５１の送信ボタンが押下されるまで待機する。操作部５１の送信ボタンが押下された場合には（Ｓ６：ＹＥＳ）、デコードした二次元バーコード１０３のデータを赤外線発光部５２からオーディオ装置１へ送信する（ステップＳ７）。その後、撮像部５７を待機状態にして（ステップＳ８）、リモコン５０を通常の状態へ戻す。
【００６９】
図５は、本発明の実施の形態１に係るオーディオ装置１が赤外線受光部１５にてデータの受信を行った場合にシステムコントローラ１３が行う処理を示すフローチャートである。システムコントローラ１３は、赤外線受光部１５がリモコン５０から送信されるデータを受信したか否かを調べ（ステップＳ２１）、データを受信していない場合には（Ｓ２１：ＮＯ）、データを受信するまで待機し、データを受信した場合には（Ｓ２１：ＹＥＳ）、受信したデータがタイトル情報であるか否かを調べる（ステップＳ２２）。
【００７０】
受信したデータがタイトル情報である場合（Ｓ２２：ＹＥＳ）、タイトル情報をメモリ２３に記憶する（ステップＳ２３）。なお、このときにタイトル情報と共にＴＯＣ情報を受信しているので、メモリ２３にはタイトル情報及びＴＯＣ情報を一組にして記憶する。受信したデータがタイトル情報でない場合は（Ｓ２２：ＮＯ）、受信したデータはオーディオ装置１の再生又は記録等の動作に係る動作命令であるので、各動作命令に対応する処理を行う（ステップＳ２４）。
【００７１】
図６は、本発明の実施の形態１に係るオーディオ装置１がＣＤ１０１に記録された楽曲データを読み出してＭＤ１１０へ記録する場合にシステムコントローラ１３が行う処理を示すフローチャートである。まず、ＣＤ１０１に記録された楽曲データをＣＤドライブ２０、ＲＦアンプ１８及びデコーダ１２等によって読み出し（ステップＳ３１）、読み出した楽曲データを圧縮伸張部１１にて圧縮し（ステップＳ３２）、圧縮した楽曲データをＣＯＤＥＣ部９、ヘッド駆動部６及びＭＤドライブ２等によりＭＤ１１０へ記録する（ステップＳ３３）。ＭＤ１１０へ記録を行う楽曲データが全て終了したか否かを調べ（ステップＳ３４）、楽曲データが全て終了していない場合には（Ｓ３４：ＮＯ）、ステップＳ３１へ戻ってＣＤ１０１からの楽曲データの読み出し及びＭＤ１１０への楽曲データの記録を行う。
【００７２】
ＭＤ１１０へ記録を行う楽曲データが全て終了した場合には（Ｓ３４：ＹＥＳ）、メモリ２３にタイトル情報が記憶されているか否かを調べ（ステップＳ３５）、メモリ２３にタイトル情報が記憶されている場合には（Ｓ３５：ＹＥＳ）、ＣＤ１０１に記録されているＴＯＣ情報の読み出しを行い（ステップＳ３６）、タイトル情報と共にメモリ２３に記憶されているＴＯＣ情報とＣＤ１０１に記録されているＴＯＣ情報との比較を行う（ステップＳ３７）。比較の結果、両ＴＯＣ情報が一致したか否かを調べ（ステップＳ３８）、両ＴＯＣ情報が一致した場合には（Ｓ３８：ＹＥＳ）、ＭＤ１１０のＵ−ＴＯＣ領域１１０ｂへタイトル情報の記録を行って（ステップＳ３９）、処理を終了する。また、ステップＳ３５にてメモリ２３にタイトル情報が記憶されていない場合（Ｓ３５：ＮＯ）、及びステップＳ３８にて両ＴＯＣ情報が一致しなかった場合（Ｓ３８：ＮＯ）には、ＭＤ１１０のＵ−ＴＯＣ領域１１０ｂへのタイトル情報の記録は行わず、処理を終了する。
【００７３】
ＭＤ１１０に楽曲データの記録を行う際に、タイトル情報をＵ−ＴＯＣ領域１１０ｂに記録しなかった場合、楽曲データの記録終了後にリモコン５０にて二次元バーコード１０３の読み取りを行ってオーディオ装置に送信し、オーディオ装置１の操作部１４又はリモコン５０の操作部５１を操作して、オーディオ装置１にタイトル情報の記録要求を与えることで行うことができる。
【００７４】
図７は、本発明の実施の形態１に係るオーディオ装置１がＭＤ１１０にタイトル情報の記録のみを行う場合にシステムコントローラ１３が行う処理を示すフローチャートである。システムコントローラ１３は、オーディオ装置１の操作部１４又はリモコン５０からタイトル情報の記録要求があったか否かを調べ（ステップＳ５１）、タイトル情報の記録要求がない場合には（Ｓ５１：ＮＯ）、タイトル情報の記録要求があるまで待機する。
【００７５】
タイトル情報の記録要求があった場合（Ｓ５１：ＹＥＳ）、メモリ２３にタイトル情報が記憶されているか否かを調べる（ステップＳ５２）。メモリ２３にタイトル情報が記憶されている場合には（Ｓ５２：ＹＥＳ）、ＣＤ１０１に記録されているＴＯＣ情報の読み出しを行い（ステップＳ５３）、タイトル情報と共にメモリ２３に記憶されているＴＯＣ情報とＣＤ１０１に記録されているＴＯＣ情報との比較を行う（ステップＳ５４）。比較の結果、両ＴＯＣ情報が一致したか否かを調べ（ステップＳ５５）、両ＴＯＣ情報が一致した場合には（Ｓ５５：ＹＥＳ）、ＭＤ１１０のＵ−ＴＯＣ領域１１０ｂへタイトル情報の記録を行って（ステップＳ５６）、処理を終了する。また、ステップＳ５２にてメモリ２３にタイトル情報が記憶されていない場合（Ｓ５２：ＮＯ）、及びステップＳ３８にて両ＴＯＣ情報が一致しなかった場合（Ｓ５５：ＮＯ）には、ＭＤ１１０のＵ−ＴＯＣ領域１１０ｂへのタイトル情報の記録は行わず、処理を終了する。
【００７６】
以上の構成のオーディオシステムにおいては、ＣＤ１０１に記録された楽曲データに関するタイトル情報を、ジャケット１０２に印刷された二次元バーコード１０３を読み取ることで取得できるため、オーディオシステムがネットワークを介してタイトル情報を管理するサーバに接続する必要がなく、簡単にＭＤ１１０のＵ−ＴＯＣ領域１１０ｂにタイトル情報を記録することができる。
【００７７】
なお実施の形態１においては、二次元バーコード１０３がＣＤ１０１を収容するジャケット１０２に印刷しておく構成を示したが、これに限るものではなく、例えばＣＤ１０１のラベル面又はＣＤ１０１に付属する冊子等に印刷しておく構成としてもよく、更には二次元バーコード１０３が印刷されたシールを貼り付ける構成であってもよい。また、タイトル情報をＭＤ１１０のＵ−ＴＯＣ領域１１０ｂへ記録する際に、ＣＤ１０１のＴＯＣ情報と二次元バーコード１０３から読み出したＴＯＣ情報とを比較し、両ＴＯＣ情報が一致した場合にのみタイトル情報の記録を行う構成としたが、両ＴＯＣ情報の比較を行わずにタイトル情報を記録する構成であってもよい。また、記録媒体の識別にＣＤ１０１に記録されたＴＯＣ情報を用いる構成を示したが、これに限るものではなく、別の情報を用いて記録媒体の識別を行ってもよい。
【００７８】
また、本実施の形態においては、記録媒体としてＣＤ１０１及びＭＤ１１０を用いるオーディオシステムを例に説明を行ったが、これに限るものではなく、ＤＶＤ又はハードディスク等の他の記録媒体を用いる他のデータ記録システムであっても同様の構成を適用することができる。
【００７９】
また、図６及び図７のフローチャートに示したシステムコントローラ１３が行うタイトル情報の記録に関する処理は一例であって、これに限るものではなく、例えば以下に示す変形例のような処理であってもよい。
【００８０】
（変形例１）  図８は、本発明の実施の形態１の変形例１に係るオーディオ装置１がＣＤ１０１に記録された楽曲データを読み出してＭＤ１１０へ記録する場合にシステムコントローラ１３が行う処理を示すフローチャートである。まず、ＣＤ１０１に記録された楽曲データをＣＤドライブ２０、ＲＦアンプ１８及びデコーダ１２等によって読み出し（ステップＳ１０１）、読み出した楽曲データを圧縮伸張部１１にて圧縮し（ステップＳ１０２）、圧縮した楽曲データをＣＯＤＥＣ部９、ヘッド駆動部６及びＭＤドライブ２等によりＭＤ１１０へ記録する（ステップＳ１０３）。ＭＤ１１０へ記録を行う楽曲データが全て終了したか否かを調べ（ステップＳ１０４）、楽曲データが全て終了していない場合には（Ｓ１０４：ＮＯ）、ステップＳ１０１へ戻ってＣＤ１０１からの楽曲データの読み出し及びＭＤ１１０への楽曲データの記録を行う。
【００８１】
ＭＤ１１０へ記録を行う楽曲データが全て終了した場合には（Ｓ１０４：ＹＥＳ）、ＣＤ１０１に記録されているＴＯＣ情報を読み出し（ステップＳ１０５）、読み出したＴＯＣ情報をＭＤ１１０のＵ−ＴＯＣ領域１１０ｂへ記録する（ステップＳ１０６）。次いで、メモリ２３にタイトル情報が記憶されているか否かを調べ（ステップＳ１０７）、メモリ２３にタイトル情報が記憶されている場合には（Ｓ１０７：ＹＥＳ）、ＭＤ１１０のＵ−ＴＯＣ領域１１０ｂに記録されているＣＤ１０１のＴＯＣ情報の読み出しを行い（ステップＳ１０８）、タイトル情報と共にメモリ２３に記憶されているＴＯＣ情報とＭＤ１１０に記録されているＴＯＣ情報との比較を行う（ステップＳ１０９）。比較の結果、両ＴＯＣ情報が一致したか否かを調べ（ステップＳ１１０）、両ＴＯＣ情報が一致した場合には（Ｓ１１０：ＹＥＳ）、ＭＤ１１０のＵ−ＴＯＣ領域１１０ｂへタイトル情報の記録を行って（ステップＳ１１１）、処理を終了する。また、ステップＳ１０７にてメモリ２３にタイトル情報が記憶されていない場合（Ｓ１０７：ＮＯ）、及びステップＳ１１０にて両ＴＯＣ情報が一致しなかった場合（Ｓ１１０：ＮＯ）には、ＭＤ１１０のＵ−ＴＯＣ領域１１０ｂへのタイトル情報の記録は行わず、処理を終了する。
【００８２】
図９は、本発明の実施の形態１の変形例１に係るオーディオ装置１がＭＤ１１０にタイトル情報の記録のみを行う場合にシステムコントローラ１３が行う処理を示すフローチャートである。システムコントローラ１３は、オーディオ装置１の操作部１４又はリモコン５０からタイトル情報の記録要求があったか否かを調べ（ステップＳ１２１）、タイトル情報の記録要求がない場合には（Ｓ１２１：ＮＯ）、タイトル情報の記録要求があるまで待機する。
【００８３】
タイトル情報の記録要求があった場合（Ｓ１２１：ＹＥＳ）、メモリ２３にタイトル情報が記憶されているか否かを調べる（ステップＳ１２２）。メモリ２３にタイトル情報が記憶されている場合には（Ｓ１２２：ＹＥＳ）、ＭＤ１１０のＵ−ＴＯＣ領域１１０ｂに記録されているＴＯＣ情報の読み出しを行い（ステップＳ１２３）、タイトル情報と共にメモリ２３に記憶されているＴＯＣ情報とＭＤ１１０に記録されているＴＯＣ情報との比較を行う（ステップＳ１２４）。比較の結果、両ＴＯＣ情報が一致したか否かを調べ（ステップＳ１２５）、両ＴＯＣ情報が一致した場合には（Ｓ１２５：ＹＥＳ）、ＭＤ１１０のＵ−ＴＯＣ領域１１０ｂへタイトル情報の記録を行って（ステップＳ１２６）、処理を終了する。また、ステップＳ１２２にてメモリ２３にタイトル情報が記憶されていない場合（Ｓ１２２：ＮＯ）、及びステップＳ１２５にて両ＴＯＣ情報が一致しなかった場合（Ｓ１２５：ＮＯ）には、ＭＤ１１０のＵ−ＴＯＣ領域１１０ｂへのタイトル情報の記録は行わず、処理を終了する。
【００８４】
以上の構成の変形例１に係るオーディオシステムにおいては、ＣＤ１０１のＴＯＣ情報を予めＭＤ１１０のＵ−ＴＯＣ領域１１０ｂにコピーしておき、二次元バーコード１０３に含まれるＴＯＣ情報との比較を行う場合に、ＭＤ１１０からＴＯＣ情報を読み出して比較を行う。これにより、タイトル情報をＭＤ１１０へ記録する場合に、ＣＤ１０１をＣＤドライブ２０に装填する必要がないため、特に、ＭＤ１１０への楽曲データの記録とタイトル情報の記録とを時間をあけて行う場合の使い勝手を向上させることができる。
【００８５】
（実施の形態２）
図１０は、本発明の実施の形態２に係るオーディオ装置の構成を示すブロック図である。実施の形態２に係るオーディオ装置１ａは、二次元バーコードの読み取りを行うための撮像部２７、画像処理部２６及びデコーダ２５を備えている。
【００８６】
撮像部２７が撮像したアナログの映像信号は画像処理部２６へ与えられ、画像処理部２６にてディジタルの画像データに変換される。変換された画像データは、画像処理部２６からデコーダ２５へ与えられ、デコーダ２５によって二次元バーコードのデコードが行われる。デコーダ２５にてデコードされたデータは、システムコントローラ１３ａからメモリ２３へ与えられ、メモリ２３に記憶される。
【００８７】
また、オーディオ装置１ａの操作部１４ａには、再生、録音、選曲、早送り及び巻き戻し等のオーディオ装置１を操作するためのボタンが設けられており、更に、撮像部２７により二次元バーコードの読み取りを行うためのボタン、例えばオーディオ装置１ａを二次元バーコードの読取可能状態へ移行させる読取要求ボタン及び撮像部２７により二次元バーコードを撮像する撮像ボタン等が設けられている。
【００８８】
図１１は、本発明の実施の形態２に係るオーディオ装置１ａが二次元バーコード１０３の読み取りを行う場合にシステムコントローラ１３ａが行う処理を示すフローチャートである。システムコントローラ１３ａは、使用者が操作部１４ａを操作することにより二次元バーコード１０３の読み取りを要求したか否かを調べ（ステップＳ６１）、読取要求がない場合には（Ｓ６１：ＮＯ）、読取要求が与えられるまで待機する。使用者からの読取要求がある場合には（Ｓ６１：ＹＥＳ）、撮像部２７を起動し（ステップＳ６２）、オーディオ装置１ａを二次元バーコード１０３の撮影が可能な状態へ移行させる。
【００８９】
次いで、使用者により操作部１４ａの撮像ボタンが押下されたか否かを調べ（ステップＳ６３）、操作部１４ａの撮像ボタンが押下されていない場合には（Ｓ６３：ＮＯ）、操作部１４ａの撮像ボタンが押下されるまで待機し、操作部１４ａの撮像ボタンが押下された場合には（Ｓ６３：ＹＥＳ）、撮像部２７により撮像された二次元バーコード１０３の画像を取り込み（ステップＳ６４）、取り込んだ二次元バーコード１０３の画像をデコーダ２５に与えてデコードを行う（ステップＳ６５）。その後、デコーダ２５がデコードしたデータをメモリ２３に記憶し（ステップＳ６６）、撮像部２７を待機状態へ移行させて（ステップＳ６７）、処理を終了する。
【００９０】
なお、オーディオ装置１ａがＣＤ１０１に記録された楽曲データを読み出してＭＤ１１０へ記録する場合の処理、及びオーディオ装置１ａがＭＤ１１０にタイトル情報の記録のみを行う場合の処理は、実施の形態１において図６及び図７に示すフローチャートと同じ処理であるので、説明を省略する。
【００９１】
以上の構成の実施の形態２に係るオーディオ装置１ａにおいては、撮像部２７、画像処理部２６及びデコーダ２５を備えているため、実施の形態１に係るオーディオ装置１のようにリモコン５０を介してＣＤ１０１のジャケット１０２に印刷された二次元バーコード１０３を読み取るのではなく、オーディオ装置１ａのみで二次元バーコード１０３を読み取ることが可能である。
【００９２】
実施の形態２に係るオーディオシステムのその他の構成は、実施の形態１に係るオーディオシステムの構成と同様であるため、対応する箇所には同じ符号を付して詳細な説明を省略する。
【００９３】
（実施の形態３）
図１２は、本発明の実施の形態３に係るオーディオシステムの構成を示すブロック図である。図において１はオーディオ装置であり、実施の形態１に係るオーディオ装置１と同様のものである。また、図において７０は携帯電話器であり、携帯電話器７０は電話網を介して他の電話器と通信を行う通信機能の他に、静止画及び動画の撮像を行うカメラ機能及び赤外線によりデータの送受信を行う赤外線通信機能を有している。
【００９４】
携帯電話器７０は、使用者が音声により通信を行うためのマイク８１及びスピーカ８２を有している。マイク８１が集音した音声は、音声処理部７９にてサンプリングされてアナログの音声信号からディジタルの音声データに変換され、制御部７４へ与えられる。制御部７４は音声データをアンテナ７７を有する送受信部７８へ与え、送受信部７８により音声データが電話網の基地局へ送信される。また、送受信部７８が電話網の基地局から音声データを受信した場合には、受信した音声データを制御部７４へ与える。制御部７４は音声データを音声処理部７９へ与え、音声処理部７９がディジタルの音声データをアナログの音声信号に変換し、スピーカ８２から出力する。
【００９５】
また、携帯電話器７０は図示しないレンズ及び撮像素子等を有する撮像部７６を備えており、撮像部７６が撮像したアナログの映像信号は画像処理部７５へ与えられ、画像処理部７５にてディジタルの画像データに変換される。変換された画像データは制御部７４へ与えられ、制御部７４は画像データを表示部７２に表示する又はメモリ８３に記憶する等の処理を行うことができる。撮像部７６にて撮像した画像が二次元バーコードである場合には、画像処理部７５は画像データをデコーダ８０へ与え、デコーダ８０が二次元バーコードのデコードを行い、デコードしたデータを制御部７４へ与えるようにしてある。制御部７４はデコーダ８０がデコードしたデータをメモリ８３に記憶する。
【００９６】
また、携帯電話器７０は他の携帯電話器と赤外線によりデータの送受信を行う赤外線通信部７３を備えており、制御部７４はメモリ８３に記憶されたデータを赤外線通信部７３へ与え、赤外線通信部７３は制御部７４から与えられるデータを送信する。また、赤外線通信部７３が受信したデータは制御部７４へ与えられ、制御部７４は与えられたデータをメモリ８３に記憶する。また、赤外線通信部７３はオーディオ装置１の赤外線受光部へデータの送信を行うことができる。
【００９７】
また、携帯電話器７０は、使用者が携帯電話器７０の操作を行うための操作部７１を備えており、操作部７１には、数字及び文字等を入力するための複数の入力ボタン、いくつかのメニューを表示させるためのメニュー表示ボタン、表示されたメニューの選択を行うためのカーソルキー、メニューの選択を確定させるための確定ボタン、並びに選択のキャンセルを行うためのキャンセルボタン等が設けられている。これらのボタン、キー及びメニューを用いて、音声通信、赤外線通信、画像の撮影及び二次元バーコードの読み取り等を行うことができる。
【００９８】
図１３は、本発明の実施の形態３に係る携帯電話器７０が二次元バーコード１０３の読み取りを行う場合に制御部７４が行う処理を示すフローチャートである。制御部７４は、使用者が操作部７１を操作することにより二次元バーコード１０３の読み取りを要求したか否かを調べる（ステップＳ７１）。読取要求は、例えば操作部７１のメニュー表示ボタンを押下してメニューを表示し、メニューから二次元バーコードの読み取りに関する項目を選択することで、制御部７４に与えられるようにしておく。読取要求がない場合には（Ｓ７１：ＮＯ）、読取要求が与えられるまで待機し、使用者からの読取要求がある場合には（Ｓ７１：ＹＥＳ）、撮像部７６を起動し（ステップＳ７２）、携帯電話器７０を二次元バーコード１０３の撮像が可能な状態へ移行させる。
【００９９】
次いで、使用者が操作部７１を操作して二次元バーコード１０３の撮像要求を発したか否かを調べる（ステップＳ７３）。撮像要求は、例えば操作部７１の確定ボタンを押下した場合に制御部７４に与えられるようにしておく。撮像要求が与えられていない場合には（Ｓ７３：ＮＯ）、撮像要求が与えられるまで待機し、撮像要求が与えられた場合には（Ｓ７３：ＹＥＳ）、撮像部７６により二次元バーコード１０３の撮像を行って画像を取り込み（ステップＳ７４）、取り込んだ二次元バーコード１０３の画像をデコーダ８０へ与えてデコードを行う（ステップＳ７５）。その後、デコーダ８０がデコードしたデータをメモリ８３に記憶し（ステップＳ７６）、撮像部７６を待機状態へ移行させて（ステップＳ７７）、処理を終了する。
【０１００】
ＣＤ１０１のジャケット１０２に印刷された二次元バーコード１０３には、ＣＤ１０１に記録された楽曲データに関するタイトル情報及びＣＤ１０１のＴＯＣ情報が含まれており、携帯電話器７０のメモリ８３にはタイトル情報及びＴＯＣ情報が一組にして記憶してある。メモリ８３に記憶されたタイトル情報及びＴＯＣ情報は赤外線通信部７３から赤外線によりオーディオ装置１へ送信することができる。
【０１０１】
図１４は、本発明の実施の形態３に係る携帯電話器７０がタイトル情報及びＴＯＣ情報を送信する場合に制御部７４が行う処理を示すフローチャートである。制御部７４は、使用者が操作部７１を操作することにより、メモリに記憶されたタイトル情報及びＴＯＣ情報の送信を要求したか否かを調べる（ステップＳ８１）。タイトル情報及びＴＯＣ情報の送信要求は、例えば操作部７１のメニュー表示ボタンを押下してメニューを表示し、メニューからタイトル情報及びＴＯＣ情報の送信に関する項目を選択することで、制御部７４に与えられるようにしておく。
【０１０２】
送信要求が与えられていない場合は（Ｓ８１：ＮＯ）、送信要求が与えられるまで待機し、送信要求が与えられた場合は（Ｓ８１：ＹＥＳ）、メモリ８３からタイトル情報及びＴＯＣ情報を読み出し（ステップＳ８２）、読み出したタイトル情報及びＴＯＣ情報を赤外線通信部７３へ与えて、赤外線によりオーディオ装置１へ送信する（ステップＳ８３）。
【０１０３】
なお、オーディオ装置１がＣＤ１０１に記録された楽曲データを読み出してＭＤ１１０へ記録する場合の処理、及びオーディオ装置１がＭＤ１１０にタイトル情報の記録のみを行う場合の処理は、実施の形態１において図６及び図７に示すフローチャートと同じ処理であるので、説明を省略する。
【０１０４】
以上の構成の実施の形態３に係るオーディオシステムにおいては、使用者が所持している携帯電話器に二次元バーコードのデコード機能及び赤外線通信機能が備わっている場合に、使用者の携帯電話器を用いることで、撮像部を備える複雑なリモコンを備える必要がなく、又はオーディオ装置１に撮像部を備える必要がないため、オーディオ装置１及びリモコンのコストの増加を抑えることができる。
【０１０５】
実施の形態３に係るオーディオシステムのその他の構成は、実施の形態１に係るオーディオシステムの構成と同様であるため、対応する箇所には同じ符号を付して詳細な説明を省略する。
【０１０６】
（実施の形態４）
図１５は、本発明の実施の形態４に係るオーディオシステムの構成を示すブロック図である。実施の形態４に係るオーディオシステムのオーディオ装置１ｂ及びリモコン５０ｂは、実施の形態１に係るオーディオ装置１及びリモコン５０とほぼ同じ構成であるが、二次元バーコードを復号するデコーダがリモコン５０ｂに設けられず、オーディオ装置１ｂに設けられている。
【０１０７】
リモコン５０ｂの撮像部５７にて撮像されたアナログの映像信号は画像処理部５６へ与えられ、画像処理部５６にてディジタルの画像データに変換され、変換された画像データは制御部５３ｂへ与えられる。制御部５３ｂは、与えられた二次元バーコードの画像データを赤外線発光部５２から赤外線によりオーディオ装置１ｂへ送信する。
【０１０８】
オーディオ装置１ｂの赤外線受光部１５にて受信した二次元バーコードの画像データはシステムコントローラ１３ｂへ与えられ、システムコントローラ１３ｂは画像データを二次元バーコードを復号するためのデコーダ２９へ与えて復号を行い、復号された二次元バーコードのデータをメモリ２３に記憶する。
【０１０９】
図１６は、本発明の実施の形態４に係るリモコン５０ｂが二次元バーコードの読み取りを行う場合にリモコン５０ｂの制御部５３ｂが行う処理を示すフローチャートである。制御部５３ｂは、使用者が操作部５１を操作することにより二次元バーコード１０３の読み取りを要求したか否かを調べ（ステップＳ１３１）、読取要求がない場合には（Ｓ１３１：ＮＯ）、読取要求が与えられるまで待機する。使用者からの読取要求がある場合には（Ｓ１３１：ＹＥＳ）、撮像部５７を起動し（ステップＳ１３２）、リモコン５０ｂを二次元バーコード１０３の撮像が可能な状態へ移行させる。
【０１１０】
次いで、使用者により操作部５１の撮像ボタンが押下されたか否かを調べ（ステップＳ１３３）、操作部５１の撮像ボタンが押下されていない場合には（Ｓ１３３：ＮＯ）、操作部５１の撮像ボタンが押下されるまで待機し、操作部５１の撮像ボタンが押下された場合には（Ｓ１３３：ＹＥＳ）、撮像部５７により撮像された二次元バーコード１０３の画像を取り込む（ステップＳ１３４）。
【０１１１】
次いで、使用者により操作部５１の送信ボタンが押下されたか否かを調べ（ステップＳ１３５）、操作部５１の送信ボタンが押下されていない場合には（Ｓ１３５：ＮＯ）、操作部５１の送信ボタンが押下されるまで待機する。操作部５１の送信ボタンが押下された場合には（Ｓ１３５：ＹＥＳ）、取り込んだ二次元バーコード１０３の画像データを赤外線発光部５２からオーディオ装置１ｂへ送信する（ステップＳ１３６）。その後、撮像部５７を待機状態にして（ステップＳ１３７）、リモコン５０ｂを通常の状態へ戻す。
【０１１２】
図１７は、本発明の実施の形態４に係るオーディオ装置１ｂが赤外線受光部１５にてデータの受信を行った場合にシステムコントローラ１３ｂが行う処理を示すフローチャートである。システムコントローラ１３ｂは、赤外線受光部１５がリモコン５０ｂから送信されるデータを受信したか否かを調べ（ステップＳ１５１）、データを受信していない場合には（Ｓ１５１：ＮＯ）、データを受信するまで待機し、データを受信した場合には（Ｓ１５１：ＹＥＳ）、受信したデータが二次元バーコードの画像データであるか否かを調べる（ステップＳ１５２）。
【０１１３】
受信したデータが画像データである場合（Ｓ１５２：ＹＥＳ）、画像データをデコーダ２９によりデコードし（ステップＳ１５３）、デコードして得られたタイトル情報をメモリ２３に記憶する（ステップＳ１５４）。なお、このときにタイトル情報と共にＴＯＣ情報が得られるので、メモリ２３にはタイトル情報及びＴＯＣ情報を一組にして記憶する。受信したデータが画像データでない場合は（Ｓ１５２：ＮＯ）、受信したデータはオーディオ装置１ｂの再生又は記録等の動作に係る動作命令であるので、各動作命令に対応する処理を行う（ステップＳ１５５）。
【０１１４】
以上の構成の実施の形態４に係るオーディオ装置１ｂにおいても、実施の形態１に係るオーディオ装置１と同様の機能を実現でき、リモコン５０ｂに二次元バーコードを復号するためのデコーダを備えていないため、リモコン５０ｂのコストを低減できるという利点がある。
【０１１５】
実施の形態４に係るオーディオシステムのその他の構成は、実施の形態１に係るオーディオシステムの構成と同様であるため、対応する箇所には同じ符号を付して詳細な説明を省略する。
【図面の簡単な説明】
【０１１６】
【図１】本発明の実施の形態１に係るオーディオシステムの構成を示すブロック図である。
【図２】本発明に係るデータ供給体の構成を示す模式図である。
【図３】ＭＤの構成を示す模式図である。
【図４】本発明の実施の形態１に係るリモコンが二次元バーコードの読み取りを行う場合にリモコンの制御部が行う処理を示すフローチャートである。
【図５】本発明の実施の形態１に係るオーディオ装置が赤外線受光部にてデータの受信を行った場合にシステムコントローラが行う処理を示すフローチャートである。
【図６】本発明の実施の形態１に係るオーディオ装置がＣＤに記録された楽曲データを読み出してＭＤへ記録する場合にシステムコントローラが行う処理を示すフローチャートである。
【図７】本発明の実施の形態１に係るオーディオ装置がＭＤにタイトル情報の記録のみを行う場合にシステムコントローラが行う処理を示すフローチャートである。
【図８】本発明の実施の形態１の変形例１に係るオーディオ装置がＣＤに記録された楽曲データを読み出してＭＤへ記録する場合にシステムコントローラが行う処理を示すフローチャートである。
【図９】本発明の実施の形態１の変形例１に係るオーディオ装置がＭＤにタイトル情報の記録のみを行う場合にシステムコントローラが行う処理を示すフローチャートである。
【図１０】本発明の実施の形態２に係るオーディオ装置の構成を示すブロック図である。
【図１１】本発明の実施の形態２に係るオーディオ装置が二次元バーコードの読み取りを行う場合にシステムコントローラが行う処理を示すフローチャートである。
【図１２】本発明の実施の形態３に係るオーディオシステムの構成を示すブロック図である。
【図１３】本発明の実施の形態３に係る携帯電話器が二次元バーコードの読み取りを行う場合に制御部が行う処理を示すフローチャートである。
【図１４】本発明の実施の形態３に係る携帯電話器がタイトル情報及びＴＯＣ情報を送信する場合に制御部が行う処理を示すフローチャートである。
【図１５】本発明の実施の形態４に係るオーディオシステムの構成を示すブロック図である。
【図１６】本発明の実施の形態４に係るリモコンが二次元バーコードの読み取りを行う場合にリモコンの制御部が行う処理を示すフローチャートである。
【図１７】本発明の実施の形態４に係るオーディオ装置が赤外線受光部にてデータの受信を行った場合にシステムコントローラが行う処理を示すフローチャートである。
【符号の説明】
【０１１７】
１、１ａ、１ｂ  オーディオ装置（データ記録装置）
２  ＭＤドライブ
１３、１３ａ、１３ｂ  システムコントローラ
１４、１４ａ  操作部
１５  赤外線受光部
２０  ＣＤドライブ
５０、５０ｂ  リモコン
５１  操作部
５２  赤外線発光部
５３、５３ｂ  制御部
２５、２９、５５  デコーダ
２７、５７  撮像部
７０  携帯電話器
７１  操作部
７３  赤外線通信部
７４  制御部
７６  撮像部
８０  デコーダ
１００  データ供給体
１０１  ＣＤ
１０２  ジャケット
１０３  二次元バーコード（情報画像）
１１０  ＭＤ
【図１】
2006318619.tif 000003
【図２】
2006318619.tif 000004
【図３】
2006318619.tif 000005
【図４】
2006318619.tif 000006
【図５】
2006318619.tif 000007
【図６】
2006318619.tif 000008
【図７】
2006318619.tif 000009
【図８】
2006318619.tif 000010
【図９】
2006318619.tif 000011
【図１０】
2006318619.tif 000012
【図１１】
2006318619.tif 000013
【図１２】
2006318619.tif 000014
【図１３】
2006318619.tif 000015
【図１４】
2006318619.tif 000016
【図１５】
2006318619.tif 000017
【図１６】
2006318619.tif 000018
【図１７】
2006318619.tif 000019